(57)【要約】  タングリッド型パッケージ１は、開口面２０を有するケース本体２と、開口面２０の後縁に連設されるとともに開口面２０を開閉自在に覆うリッド３１及びリッド３１に連設されたタング３２を有するタングリッド３とを備える。タングリッド型パッケージ１は、タングリッド３が閉じられる際に、前壁２１とタング３２の何れか一方に形成された差し込み開口部２７に対して他方に形成された差し込み片３２ａが差し込み可能である。更に、タング３２に形成された折り返し片３５と前壁２１に形成された係止舌片２８とが、タングリッド３が閉じられる際に差し込み片３２ａが差し込み開口部２７に差し込まれる過程で互いに係合する。
2014016964.tif 000002
【特許請求の範囲】
【請求項１】
開口面を有するとともに内部に物品を収容可能なケース本体と、
前記開口面の後縁に連設されるとともに該開口面を開閉自在に覆う蓋部、及び、前記蓋部に連設された舌部を有するタングリッドと、
を備え、
前記タングリッドが閉じられる際に、前記ケース本体の前壁と前記舌部の何れか一方に形成された差し込み口に対して他方に形成された差し込み片が差し込み可能に形成されており、
前記舌部及び前記前壁の双方に設けられ、前記タングリッドが閉じられる際に前記差し込み片が前記差し込み口に差し込まれる過程で互いに係合する係合部を更に備える、タングリッド型パッケージ。
【請求項２】
前記ケース本体において、前記開口面の後縁に沿った幅方向の寸法が、該幅方向に直交して且つ前記前壁に沿った高さ方向の寸法に比べて大きい、請求項１に記載のタングリッド型パッケージ。
【請求項３】
前記係合部は、前記前壁側に設けられた係止片と、前記舌部側に設けられた係止片の組み合わせにより構成されている、請求項１又は２に記載のタングリッド型パッケージ。
【請求項４】
前記蓋部と前記開口面の後縁との境界部、及び、前記蓋部と前記舌部との境界部のうち少なくとも一方はラウンドコーナーである、請求項１から３の何れか一項に記載のタングリッド型パッケージ。
【発明の詳細な説明】
【技術分野】
【０００１】
本発明は、タングリッド型パッケージに関する。
【背景技術】
【０００２】
従来、シガレットやフィルタシガレット等の棒状喫煙物品を収容するボックスタイプのハードパッケージの１形態として、ヒンジリッド型パッケージが広く知られている。この種のヒンジリッド型パッケージは、リッドも箱形をなしているのが一般的であるが、この箱形リッドに代えてタングリッドを備えたタングリッド型パッケージも知られている（例えば、特許文献１を参照）。【０００３】
タングリッド型パッケージのタングリッドは、通常、ケース本体の開口面の縁部に折り込み線を介して接続されており、この開口面を開閉可能に覆うリッドと、このリッドから折り込み線を介して接続されるタングとを有する。タングリッド型パッケージの一例として、ケース本体の前壁には、リッドによって開口面を覆う際に、タングの先端側に形成された差し込み片を差し込み可能な差し込み口が設けられているものが知られている。
【先行技術文献】
【特許文献】
【０００４】
【特許文献１】特許第３１３１４０５号公報
【発明の概要】
【発明が解決しようとする課題】
【０００５】
タングリッド型パッケージは、１枚のブランクから形成可能であり、資源の有効利用を図る点で優れている。しかしながら、タングリッド型パッケージは、通常、リッドとケース本体との接続部及びリッドとタングとの接続部に折り込み線が介在しており、折り込まれたブランクが元に戻ろうとする復元力によって、差し込み口から差し込み片が抜け出し易く、蓋閉まり性が悪化する虞がある。【０００６】
本発明は、このような課題に鑑みてなされてものであって、その目的は、従来に比べて蓋閉まり性の優れたタングリッド型パッケージに関する技術を提供することにある。
【課題を解決するための手段】
【０００７】
上記課題を解決するために、本発明に係るタングリッド型パッケージは、以下の手段を採用した。すなわち、本発明に係るタングリッド型パッケージは、開口面を有するとともに内部に物品を収容可能なケース本体と、前記開口面の後縁に連設されるとともに該開口面を開閉自在に覆う蓋部、及び、前記蓋部に連設された舌部を有するタングリッドと、を備え、前記タングリッドが閉じられる際に、前記ケース本体の前壁と前記舌部の何れか一方に形成された差し込み口に対して他方に形成された差し込み片が差し込み可能に形成されており、前記舌部及び前記前壁の双方に形成されて、前記タングリッドが閉じられる際に前記差し込み片が前記差し込み口に差し込まれる過程で互いに係合する係合部を更に備える。【０００８】
本発明に係るタングリッド型パッケージは、差し込み口がケース本体の前壁に設けられる場合にはタングリッドの舌部に差し込み片が設けられ、差し込み口がタングリッドの舌部に設けられる場合にはケース本体の前壁に差し込み片が設けられる。【０００９】
本発明に係るタングリッド型パッケージによれば、タングリッドが閉じられる際に差し込み片が差し込み口に差し込まれる過程において、ケース本体における前壁と舌部の双方に形成された係合部が互いに係合するため、差し込み片が差し込み口から不用意に抜け出すことを抑制できる。従って、タングリッド型パッケージの蓋閉まり性を従来に比べて向上させることが可能となる。なお、前記係合部は、前記前壁側に設けられた係止片と、前記舌部側に設けられた係止片の組み合わせにより構成されていてもよい。タングリッドを閉じる際に、ケース本体の前壁側に設けられた係止片と、舌部側に設けられた係止片とが掛り止められることで互いにロックされ、差し込み片が差し込み口から不用意に抜け出すことを好適に抑制できる。【００１０】
また、タングリッド型パッケージにおいて、前記蓋部と前記開口面の後縁との境界部、及び、前記蓋部と前記舌部との境界部のうち少なくとも一方はラウンドコーナーであってもよい。また、前記ケース本体のうち、前記開口面の後縁に沿った幅方向の寸法が、該幅方向に直交して且つ前記前壁に沿った高さ方向の寸法に比べて大きくてもよい。前者の場合、パッケージを形成するために折り込まれたブランクが元の形状に戻ろうとする復元力が大きくなりやすく、差し込み口から差し込み片が抜け出しやすい条件といえる。後者の場合、ケース本体の前壁に形成された差し込み口（或いは、差し込み片）と前壁上端との寸法を十分に確保しにくく、この場合もやはり差し込み口から差し込み片が抜け出しやすい条件といえる。このように蓋閉まり性が悪化しやすい条件下においても、本発明に係るパッケージによれば、タングリッドが閉じられる際に差し込み片が差し込み口に差し込まれる過程で互いに係合する係合部を備えるようにしたので、不用意に差し込み口から差し込み片が抜け出すことを抑制できる。【００１１】
なお、タングリッド型パッケージに収容する被収容物は特に限定されるものではないが、例えば、たばこ商品を被収容物として好適に例示できる。たばこ商品としては、例えば紙巻たばこ（フィルタシガレット、両切たばこ（フィルタ無し））、シガー（葉巻）、電子たばこ、噛みたばこ、嗅ぎたばこ等が例示できる。また、タングリッド型パッケージは、例えば菓子、ガム等を収容するパッケージであってもよい。【００１２】
また、本発明における課題を解決するための手段は、可能な限り組み合わせて採用することができる。
【発明の効果】
【００１３】
本発明によれば、従来に比べて、タングリッド型パッケージにおける蓋閉まり性を向上させることができる。
【図面の簡単な説明】
【００１４】
【図１】第１実施形態に係るパッケージ１の斜視図である。
【図２】第１実施形態に係るパッケージ１の斜視図である。
【図３】ケース本体内に収容されるインナパックを示す図である。
【図４】パッケージのタングリッドが開かれた状態から閉じられるまでの各状態を説明する図である。
【図５】第１実施形態に係るパッケージを形成するブランクの展開図である。
【図６】第２実施形態に係るパッケージの斜視図である。
【図７】第２実施形態に係るパッケージの斜視図である。
【図８】第２実施形態に係るパッケージを形成するブランクの展開図である。
【発明を実施するための形態】
【００１５】
以下、本発明に係るタングリッド型パッケージ（以下、単に“パッケージ”という）の実施形態について、図面に基づいて説明する。本発明が適用されるパッケージに収容する被収容物は特定のものに限定されないが、この実施形態ではシガレットをパッケージに収容する場合を例に説明する。
【００１６】
〈第１実施形態〉
図１及び図２は、第１実施形態に係るパッケージ１の斜視図であり、パッケージ１を正面右斜め側から眺めた状態を示している。パッケージ１は、ケース本体２及びタングリッド３を備えている。ケース本体２は上面が開口されている。符号２０は、ケース本体２の上端に形成された開口面を示している。タングリッド３は、ケース本体２の開口面２０の後縁に連設されており、開口面２０を開閉する蓋部材である。図１に示す状態においてタングリッド３が閉じられており、図２に示す状態においてタングリッド３が開かれている。なお、パッケージ１は、いわゆるクラッチバッグの形状を有しており、クラッチバッグ型パッケージともいえる。
【００１７】
ケース本体２は、略直方体形状を有した箱体であり、その内部には図３に示すようにシガレットの包装体（以下、「インナパック」という）４が収容されている。インナパック４は、シガレット（図示せず）の束を、内包材５により包み込んだものである。内包材５は、例えば矩形状を有するシート状のアルミニウム蒸着紙であり、紙基材と、その表面に蒸着されたアルミニウムの膜とを含んで形成されている。図３に示す５ａ，５ｂは、内包材５の外周縁同士を重ね合わせて折り込むことによって形成された台形形状の一対のサイドフラップである。本実施形態では、シガレットにおける長手方向の端部ではなく、その周面にサイドフラップ５ａ，５ｂが面して配置されるようにシガレットの束を内包材５によって包みこむ。これによれば、消費者がシガレットを取り出す際に、内包材５にシガレットの端部を引っ掛かりにくくすることができる。なお、図３中に示す鎖線は、切り離し線を表したものである。インナパック４が収容されたパッケージ１を購入した消費者は、インナパック４における手前側のサイドフラップ５ａを摘んで引っ張り、切り離し線を境に切り離すことにより、シガレットを内包材５の外部に露出させることができる。
【００１８】
ケース本体２は、前壁２１、後壁２２、左側壁２３、右側壁２４、底壁２５を有し、これらによって外形が画定されている。前壁２１及び後壁２２は同形状を有し、対向配置されている。これら前壁２１及び後壁２２は、左側壁２３と右側壁２４と底壁２５とによって相互に連結されている。ここで、前壁２１と底壁２５との境界に位置する縁部２６ａ、後壁２２と底壁２５との境界に位置する縁部２６ｂはラウンド形状を有するラウンドコーナー（ラウンドエッジ）となっている。
【００１９】
更に、ケース本体２の前壁２１には、スリット状の差し込み開口部２７が設けられている。差し込み開口部２７は、前壁２１の高さ方向中央よりも上側、すなわち開口面２０寄りの部分に配置されている。ここで、図１及び図２に、パッケージ１における前後、上下、左右の各方向を示す。なお、図示の上下方向、左右方向、前後方向は、それぞれパッケージ１（ケース本体２）の高さ方向、幅方向、奥行方向に対応している。図１及び図２に示すように、差し込み開口部２７は、前壁２１の幅方向に沿って伸びている。なお、パッケージ１（ケース本体２）の幅方向は、開口面２０の後縁に沿った方向の寸法である。また、パッケージ１（ケース本体２）の高さ方向は、上記幅方向に直交して且つ前壁２１に沿った方向の寸法である。
【００２０】
ケース本体２の後壁２２には、その上縁を折り込み線、すなわちセルフヒンジとしてタングリッド３が連結されている。タングリッド３は、後壁２２側からリッド３１（蓋部）及びタング３２（舌部）を有している。これらリッド３１とタング３２とは、折り込み線を介して連なっている。言い換えると、リッド３１とタング３２とは、折り込み線を境にタングリッド３を区分している。以下、後壁２２とリッド３１との境界部をリッド折り込み部３３と称し、リッド３１とタング３２との境界部をタング折り込み部３４と称する。本実施形態において、リッド折り込み部３３とタング折り込み部３４とは、共にラウンド形状を有するラウンドコーナーとなっている。
【００２１】
リッド３１は、ケース本体２の開口面２０に対応する形状及び大きさを有しており、開口面２０の後縁に連設されることで開口面２０を開閉自在に覆うことができる蓋部材である。タング３２は、リッド３１と同一の幅を有して一旦伸びた後、その幅が徐々に狭まる形状となっている。タング３２の先端側には、差し込み片３２ａが突出するように形成されている。差し込み片３２ａの幅は、ケース本体２における前壁２１に設けられた差し込み開口部２７よりも若干小さな寸法となっている。
【００２２】
図１に示すように、タングリッド３が閉じられる際には、タング３２は、ケース本体２の前壁２１に重なり合うとともに、タング３２の差し込み片３２ａが差し込み開口部２７に差し込まれる。これにより、ケース本体２の開口面２０をリッド３１が塞ぎ、パッケージ１に収容されている被収容物であるシガレットへのアクセスが規制されることになる。
【００２３】
ところで、図１及び図２に示すように、本実施形態に係るパッケージ１は、シガレットの長手方向がパッケージ１の幅方向に対応するようにインナパック４をケース本体２に収容する仕様となっている。そのため、パッケージ１（ケース本体２）は、その幅寸法が高さ寸法よりも大きい。また、図１及び図２において図示を省略しているが、通常、ケース本体２には、宣伝、広告、その他の目的のために、文字、絵柄、写真等などが印刷されている。特に、ケース本体２の前壁２１は、他の面に比べて消費者の目にも留まりやすいため、前壁２１において、より大きな面積を文字、絵柄等の印刷スペースとして確保したいという要請がある。
【００２４】
ここで、パッケージ１はタングリッド型のパッケージであるため、ケース本体２の前壁２１における宣伝、広告等の情報表示スペースは、差し込み開口部２７よりも下方になる。前壁２１における差し込み開口部２７の上方部位は、タングリッド３が閉じられた際にタング３２の下に隠れてしまうからである。従って、ケース本体２の前壁２１における情報表示スペースをより多く確保する観点から、差し込み開口部２７を前壁２１の上部位置、すなわち開口面２０に比較的近い箇所に設けざるを得ないことが多い。本実施形態のパッケージ１においても、差し込み開口部２７が前壁２１の高さ方向中央よりも上端側（すなわち、開口面２０側）の位置に設けられている。
【００２５】
更に、本実施形態に係るパッケージ１は、シガレットの長手方向がケース本体２の幅方向に一致するようにインナパック４を収納するため、シガレットの長手方向をケース本体２の高さ方向に一致させる場合に比べて、前壁２１の高さ寸法自体が小さくなる。そうすると、リッド折り込み部３３及びタング折り込み部３４において発生するブランクの復元力、より詳しくはブランクが折り込まれる前の元の形状に戻ろうとする復元力が、タングリッド３に対して作用することにより、差し込み開口部２７から差し込み片３２ａが抜け出しやすくなる。つまり、タングリッド３が不用意に開いてしまうという状況が起こり易くなる。
【００２６】
そこで、本実施形態に係るパッケージ１においては、上記不具合を抑制し、蓋閉まりを良くするためのロック構造６を備えている。ロック構造６は、タング３２と前壁２１との各々に形成される係合部によって形成され、この係合部同士の係合によって差し込み開口部２７からの差し込み片３２ａの抜け出しを抑制するものである。
【００２７】
ロック構造６は、ケース本体２における前壁２１に設けられた係止舌片２８（係止片）と、タング３２の内側に設けられた折り返し片３５（係止片）との組み合わせによって構成されている。係止舌片２８は、前壁２１の上縁から突出している矩形状の舌片である。図１及び図２に示す例においては、前壁２１の上縁の２箇所に係止舌片２８が設けられている。
【００２８】
折り返し片３５は、タング３２の先端側を折り返し、その折り返された部分の両端側を対向するタング３２内面に部分的に接着することで形成されている。本実施形態における折り返し片３５は、差し込み片３２ａの両側に形成されている。また、各折り返し片３５のうち、パッケージ１の幅方向において前壁２１に設けられた係止舌片２８に対応する部位（以下、「フラップ係合部」という）３５ａはタング３２内面と接着されず、両端部分がタング３２内面と接着されている。これにより、折り返し片３５におけるフラップ係合部３５ａとタング３２内面との間には、タングリッド３が閉じられた際に係止舌片２８が挟み込まれる程度の所定の隙間が形成される。本実施形態のパッケージ１においては、タングリッド３を閉じる際に互いに係合する２対の折り返し片３５と係止舌片２８とを備えているが、その数は特に限定されない。
【００２９】
次に、図４を参照して、パッケージ１を閉じる際の動作状況について説明する。図４は、パッケージ１のタングリッド３が開かれた状態から閉じられるまでの各状態を示している。左側から右側に向かって第１〜第４状態を示している。なお、図４に示すパッケージ１の断面は、図１のＡ−Ａ断面に対応している。
【００３０】
図４に示す第１状態は、パッケージ１が開かれた状態を示している。また、第１状態において、係止舌片２８は、前壁２１の上縁から上方に向かって突出している。
【００３１】
次に、扱い者は、パッケージ１を閉じるべく、タングリッド３の閉じ動作を行う。タングリッド３の閉じ動作が開始されると、タング３２に設けられた折り返し片３５の外面３５ｂが前壁２１の上縁に設けられた係止舌片２８の内面２８ａに当接する第２状態へと移行する。係止舌片２８の内面２８ａは、係止舌片２８のうち、ケース本体２における開口面２０を臨む方の面である。
【００３２】
第２状態においては、タングリッド３の閉じ動作に伴い、折り返し片３５の外面３５ｂが係止舌片２８の内面２８ａに押し付けられる。これにより、係止舌片２８の姿勢は、前壁２１の上縁との接続基端部を境にケース本体２前方に向かって傾倒する。このように、折り返し片３５によって係止舌片２８を前壁２１方向に押し付けつつ、タング３２の差し込み片３２ａが差し込み開口部２７に差し込まれると、第３状態となる。第３状態では、第２状態に比べて折り返し片３５による係止舌片２８の押し付け度合いが更に進展している。
【００３３】
そして、差し込み開口部２７に対する差し込み片３２ａの差し込み量（長さ）が増加していくと、折り返し片３５の外面３５ｂが係止舌片２８の内面２８ａを乗り越えることで第４状態となる。つまり、差し込み片３２ａが差し込み開口部２７に差し込まれる過程で折り返し片３５と係止舌片２８とが互いに係合する。このように、第４状態においては、折り返し片３５と係止舌片２８とが互いに係止されることでロック状態になると共に、リッド３１によって開口面２０が塞がれることでパッケージ１が閉状態となる。また、係止舌片２８が折り返し片３５を乗り越える際、すなわち、折り返し片３５と係止舌片２８とが互いに係止されることでロック状態になる際には、係止舌片２８が折り返し片３５に弾かれることにより音が鳴る。このように、折り返し片３５と係止舌片２８とが互いに係止される際に発生する音によって、使用者はパッケージ１が確実に閉状態となったことを確認することができ、パッケージ１の使用感を向上させることができる。
【００３４】
本実施形態に係るパッケージ１によれば、タングリッド３が閉じられた状態において、ケース本体２とリッド３１との間のリッド折り込み部３３や、リッド３１とタング３２との間のタング折り込み部３４といった箇所で発生するブランクの復元力（反発力）がタングリッド３に作用しても、折り返し片３５と係止舌片２８とが相互に係止されることにより、タング３２の差し込み片３２ａがケース本体２側の差し込み開口部２７から抜け出すことを抑制できる。従って、タングリッド型のパッケージ１の蓋閉まり性を従来に比べて向上させることが可能となる。
【００３５】
特に、本実施形態に係るパッケージ１のように、リッド折り込み部３３やタング折り込み部３４がラウンド（ｒｏｕｎｄ）形状となっている場合には、スクエア（ｓｑｕａｒｅ）形状の場合に比べてブランクの復元力が大きい。更に、パッケージ１のように、シガレットの長手方向がケース本体２の幅方向に沿うようにインナパック４を収容する場合、前壁２１においてヘルスワーニング等の表示スペースを確保する関係上、タング３２の差し込み片３２ａを差し込むための差し込み開口部２７の配置位置が前壁２１の上縁近傍になりがちである。このような条件下においても、パッケージ１によれば、タングリッド３を閉じた際に互いに係合する折り返し片３５と係止舌片２８との組み合わせからなるロック構造６を具備することにより、タングリッド３が不用意に開かれてしまうことを抑制できる。
【００３６】
図５は、本実施形態に係るパッケージ１を形成するブランクＢ１の展開図である。ブランクＢ１にはカード紙、マニラボール紙等の紙材を用いているが、これに限られるものではない。例えばプラスチックシートやアルミ蒸着紙を用いてブランクＢ１を製造してもよい。
【００３７】
ブランクＢ１は、ケース本体２の前壁２となる前壁パネルＰ１を有している。前壁パネルＰ１には、差し込み開口部２７が形成されている。前壁パネルＰ１の両側には、ケース本体２の左側壁２３、右側壁２４の一部となる左側壁パネルＰ２、右側壁パネルＰ３が連なっており、前壁パネルＰ１の上端には底壁２５となる底壁パネルＰ４が連なっている。この底壁パネルＰ４には、前壁パネルＰ１とは反対側に位置してケース本体２の後壁２２となる後壁パネルＰ５が連なっている。また、底壁パネルＰ４の両端には、補強フラップＰ６，Ｐ７が連なっている。
【００３８】
後壁パネルＰ５には、底壁パネルＰ４とは反対側に位置してリッド３１となるリッドパネルＰ８が連なっている。また、後壁パネルＰ５の両側には、ケース本体２の左側壁２３の残部となるインナサイドフラップＰ９と、右側壁２４の残部となるインナサイドフラップＰ１０とが連なっている。左側壁パネルＰ２、補強フラップＰ６、及びインナサイドフラップＰ９が互いに接着されて左側壁２３を形成する。また、右側壁パネルＰ３、補強フラップＰ７、及びインナサイドフラップＰ１０が互いに接着されて右側壁２４を形成する。
【００３９】
リッドパネルＰ８の上端には、タング３２となるタングパネルＰ１１が連なっている。このタングパネルＰ１１の先端側には、差し込み片３２ａとなる差し込み片領域Ｒ１が形成されている。また、タングパネルＰ１１における差し込み片領域Ｒ１の両サイドには、折り返し片３５となる折り返しフラップＰ１２，Ｐ１３が連なっている。また、前壁パネルＰ１の下端には、係止舌片２８となる２つのタブＴ１，Ｔ２が連なっている。
【００４０】
図５に示すように、前壁パネルＰ１と底壁パネルＰ４との境界、底壁パネルＰ４と後壁パネルＰ５との境界、後壁パネルＰ５とリッドパネルＰ８との境界、リッドパネルＰ８とタングパネルＰ１１との境界は、一点鎖線で示した複数の狭ピッチによる折り込み線が設けられており、この狭ピッチの折り込み線による折り込みによってラウンドコーナー（エッジ）が形成される。
【００４１】
上記のように構成されるブランクＢ１は、一点鎖線で示した折り込み線からそれぞれ折り込まれることで、ケース本体２及びタングリッド３が形成され、この折り込み成形によって、図１に示すようなパッケージ１が得られる。
【００４２】
より詳しくは、後壁パネルＰ５にインナパック４が載置され、この状態でインナパック４に対して底壁パネルＰ４、補強フラップＰ６，Ｐ７、リッドパネルＰ８、インナサイドフラップＰ９，１０、前壁パネルＰ１の折り込みがなされる。そして、左側壁パネルＰ２、補強フラップＰ６、及びインナサイドフラップＰ９が互いに接着され、かつ、右側壁パネルＰ３、補強フラップＰ７、及びインナサイドフラップＰ１０が互いに接着される。更に、タングパネルＰ１１に対して折り返しフラップＰ１２，Ｐ１３の折り込みがなされ、折り返しフラップＰ１２，Ｐ１３の両端部がタングパネルＰ１１に対して接着される。なお、上記の例では左側壁パネルＰ２、補強フラップＰ６、及びインナサイドフラップＰ９を互いに接着する場合を説明したが、少なくとも左側壁パネルＰ２とインナサイドフラップＰ９とが接着されていればよく、補強フラップＰ６が左側壁パネルＰ２及びインナサイドフラップＰ９と接着されていなくてもよい。同様に、右側壁パネルＰ３、補強フラップＰ７、及びインナサイドフラップＰ１０についても、少なくとも右側壁パネルＰ３とインナサイドフラップＰ１０とが接着されていれば、補強フラップＰ７が右側壁パネルＰ３及びインナサイドフラップＰ１０と接着されていなくてもよい。
【００４３】
なお、折り返しフラップＰ１２，Ｐ１３のうち、タングパネルＰ１１と接着されない非接着領域によって、上述のフラップ係合部３５ａが形成される。このようにして、ケース本体２内にインナパック４を収容したパッケージ１を成形することができる。
【００４４】
〈第２実施形態〉
次に、第２実施形態に係るパッケージ１Ａを説明する。図６及び図７は、第２実施形態に係るパッケージ１Ａの斜視図である。図８は、パッケージ１Ａを形成するブランクＢ２の展開図である。ここで、第１実施形態に係るパッケージ１と同一の構成要素については同一符号を付すことにより、その詳しい説明を割愛する。以下、第２実施形態に係るパッケージ１Ａについて、第１実施形態に係るパッケージ１との相違点を中心に説明する。
【００４５】
図６にはタングリッド３が閉じた状態、図７にはタングリッド３が開かれた状態のパッケージ１Ａを示している。第１実施形態に係るパッケージ１では、タングリッド３（タング３２）の差し込み片３２ａを差し込むための差し込み開口部２７が、前壁２１に打ち抜き形成されていたが、第２実施形態ではケース本体２の前壁２１に差し込み帯部材２９が設けられている。
【００４６】
差し込み帯部材２９は、内側帯部材２９ａ及び外側帯部材２９ｂを有する。内側帯部材２９ａは、前壁２１の上縁に連設されており、折り込み線から前壁２１の上に折り返されている。内側帯部材２９ａのうち、前壁２１上縁との接続端の反対側に位置する方の端部には、折り込み線を介して外側帯部材２９ｂが連設されている。外側帯部材２９ｂは、折り込み線から内側帯部材２９ａに対して折り返されることで、内側帯部材２９ａの上に重ねられている。図６及び図７に示すように、外側帯部材２９ｂは内側帯部材２９ａに比べてパッケージ１Ａの幅方向への寸法が大きく、その両側端部２９ｃは前壁２１に直接接着されている。
【００４７】
更に、内側帯部材２９ａと外側帯部材２９ｂとの境界部には、スリット状の差し込み開口部２７が開口しており、この差し込み開口部２７にはタング３２の差し込み片３２ａを差し込み可能となっている。より詳しくは、タングリッド３を閉じる際、タング３２における差し込み片３２ａは、内側帯部材２９ａと外側帯部材２９ｂとの間に形成された隙間に差し込まれつつ、差し込み開口部２７に挿通される。このようにして、差し込み開口部２７に差し込み片３２ａが差し込まれることで、タングリッド３のリッド３１によってケース本体２の開口面２０が塞がれる。タングリッド３の閉じ操作がなされる際、折り返し片３５と係止舌片２８とが互いに係合することでロック状態になる。そのため、第１実施形態に係るパッケージ１と同様に、タング３２の差し込み片３２ａがケース本体２側の差し込み開口部２７から不用意に抜け出すことを抑制できる。
【００４８】
図８に示すブランクＢ２は、前壁パネルＰ１の下端に、差し込み帯部材２９の内側帯部材２９ａとなる差し込み帯インナパネルＰ１４が連なっている。この差し込み帯インナパネルＰ１４には、前壁パネルＰ１とは反対側に位置して差し込み帯部材２９の外側帯部材２９ｂとなる差し込み帯アウタパネルＰ１５が連なっている。差し込み帯インナパネルＰ１４と差し込み帯アウタパネルＰ１５との間は折り込み線が形成されており、双方に跨るように開口部Ｒ２が穿孔されている。図８に示す例では、開口部Ｒ２は楕円形状を有し、その長軸位置が上記折り込み線の位置に一致している。但し、開口部Ｒ２の形状は適宜変更することができる。更に、差し込み帯アウタパネルＰ１５の幅寸法は、差し込み帯インナパネルＰ１４の幅寸法よりも大きい。ここでいう幅寸法とは、組み立て後におけるパッケージ１Ａにおいて幅方向に対応する向きの寸法であり、差し込み帯インナパネルＰ１４と差し込み帯アウタパネルＰ１５との間の折り込み線に沿った方向の寸法である。
【００４９】
ブランクＢ２においても、上述したブランクＢ１と同様に、一点鎖線で示した折り込み線からそれぞれ折り込まれることで、ケース本体２及びタングリッド３が形成され、図６に示すようなパッケージ１Ａが得られる。差し込み帯インナパネルＰ１４は前壁パネルＰ１の外面側に折り込まれる。そして、差し込み帯アウタパネルＰ１５は、差し込み帯インナパネルＰ１４の上に重ねられるようにして、折り込み線から折り込まれる。
【００５０】
上述のように、差し込み帯アウタパネルＰ１５は差し込み帯インナパネルＰ１４よりも幅寸法が大きいため、差し込み帯アウタパネルＰ１５の両端部は前壁パネルＰ１と直接重なり合う。本実施形態では、差し込み帯アウタパネルＰ１５のうち、前壁パネルＰ１と直接に重なり合う部分（両端部分）を前壁パネルＰ１に接着することで、ケース本体２の前壁２１に差し込み帯部材２９が固定されている。
【００５１】
なお、パッケージ１Ａの組み立て時において、差し込み帯インナパネルＰ１４と差し込み帯アウタパネルＰ１５とは互いに接着されない。そのため、差し込み帯インナパネルＰ１４と差し込み帯アウタパネルＰ１５との間には隙間が形成される。タングリッド３と閉じる際には、この隙間を利用して、差し込み片３２ａが差し込み開口部２７へとアクセスすることが可能となり、差し込み片３２ａを差し込み開口部２７に差し込むことができるようになる。以上のような折り込み成形によって、図６に示すパッケージ１Ａが完成する。
【００５２】
以上のように構成されるパッケージ１Ａによれば、第１実施形態に係るパッケージ１と同等の効果を奏する。すなわち、タングリッド３が閉じた状態から不用意にタング３２の差し込み片３２ａがケース本体２側の差し込み開口部２７から抜け出すことを抑制できるので、蓋閉まりの優れたパッケージ１Ａを提供することが可能である。
【００５３】
〈変形例〉
以上、本発明の好適な実施形態を説明したが、上記実施形態には本発明の本旨を逸脱しない範囲において適宜の変更を加えることができる。例えば、上述の各実施形態におけるロック構造６は、ケース本体２の前壁２１に設けられた係止舌片２８とタング３２に設けられた折り返し片３５との組み合わせによって構成していたが、これに限られず、ロック構造６として種々の形態、構造を採用することができる。すなわち、ロック構造６は、前壁２１及びタング３２に各々形成されて且つ差し込み片３２ａが差し込み開口部２７に差し込まれる過程において互いに係合する係合部を含んで構成することができる。ここで係合部は、係止片同士の組み合わせに限られず、例えば係止片とこの係止片と係合する係合孔との組み合わせであってもよい。
【００５４】
また、上述の各実施形態においては、タングリッド型のパッケージ１，１Ａとして、タングリッド３を閉じる際に、タングリッド３側に形成された差し込み片３２ａをケース本体２側に形成された差し込み開口部２７に差し込む形態を採用しているが、差し込み片３２ａと差し込み開口部２７とを相互に入れ替えて配置してもよい。すなわち、タングリッド３側に差し込み開口部２７を形成し、タングリッド３を閉じる際に、ケース本体２側に形成された差し込み片３２ａを差し込み開口部２７に差し込む形態を採用してもよい。また、上記実施形態では、タングリッド型のパッケージ１，１Ａは、リッド折り込み部３３、タング折り込み部３４、縁部２６ａ、縁部２６ｂがラウンド形状となっている場合を説明したが、上記コーナー部は平面状に面取りされていてもよく、また、スクエアであってもよい。
【００５５】
また、上述の各実施形態では、パッケージ１，１Ａに収容する被収容物の好適な適用例として、フィルタシガレットや両切シガレット等のシガレットを収容する場合を説明したが、これらには限定されず、例えば、シガー（葉巻）、電子たばこ、噛みたばこ、嗅ぎたばこ等を収容してもよい。また、たばこ商品に限らず、例えば菓子やガム等の物品をパッケージに収容してもよい。また、実施形態に記載されている構成要素の寸法、材質、形状、その相対配置等は、特に特定的な記載がない限りは、発明の技術的範囲をそれらのみに限定する趣旨のものではない。また、各実施形態およびその変形例は、可能な限り組み合わせて実施することができる。
【符号の説明】
【００５６】
１，１Ａ・・・タングリッド型パッケージ
２・・・ケース本体
３・・・タングリッド
４・・・インナパック
６・・・ロック構造
２０・・・開口面
２１・・・前壁
２７・・・差し込み開口部
２８・・・係止舌片
２９・・・差し込み帯部材
３１・・・リッド
３２・・・タング
３２ａ・・・差し込み片
３５・・・折り返し片
【図１】
2014016964.tif 000003
【図２】
2014016964.tif 000004
【図３】
2014016964.tif 000005
【図４】
2014016964.tif 000006
【図５】
2014016964.tif 000007
【図６】
2014016964.tif 000008
【図７】
2014016964.tif 000009
【図８】
2014016964.tif 000010
【手続補正書】
【提出日】平成27年7月9日(2015.7.9)
【手続補正１】
【補正対象書類名】特許請求の範囲
【補正対象項目名】全文
【補正方法】変更
【補正の内容】
【特許請求の範囲】
【請求項１】
開口面を有するとともに内部に物品を収容可能なケース本体と、
前記開口面の後縁に連設されるとともに該開口面を開閉自在に覆う蓋部、及び、前記蓋部に連設された舌部を有するタングリッドと、
を備え、
前記タングリッドが閉じられる際に、前記ケース本体の前壁と前記舌部の何れか一方に形成された差し込み口に対して他方に形成された差し込み片が差し込み可能に形成されており、
前記舌部及び前記前壁の双方に設けられ、前記タングリッドが閉じられる際に前記差し込み片が前記差し込み口に差し込まれる過程で互いに係合する係合部を更に備え、
前記係合部は、前記前壁のうち該前壁に設けられた前記差し込み口又は前記差し込み片よりも上側に設けられた係止片と、前記舌部のうち該舌部に設けられた前記差し込み片又は前記差し込み口よりも基端側に設けられた係止片の組み合わせにより構成されている、
タングリッド型パッケージ。
【請求項２】
前記ケース本体において、前記開口面の後縁に沿った幅方向の寸法が、該幅方向に直交して且つ前記前壁に沿った高さ方向の寸法に比べて大きい、請求項１に記載のタングリッド型パッケージ。
【請求項３】
前記蓋部と前記開口面の後縁との境界部、及び、前記蓋部と前記舌部との境界部のうち少なくとも一方はラウンドコーナーである、請求項１又は２に記載のタングリッド型パッケージ。
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
開口面を有するとともに内部に物品を収容可能なケース本体と、
前記開口面の後縁に連設されるとともに該開口面を開閉自在に覆う蓋部、及び、前記蓋部に連設された舌部を有するタングリッドと、
を備え、
前記タングリッドが閉じられる際に、前記ケース本体の前壁と前記舌部の何れか一方に形成された差し込み口に対して他方に形成された差し込み片が差し込み可能に形成されており、
前記舌部及び前記前壁の双方に設けられ、前記タングリッドが閉じられる際に前記差し込み片が前記差し込み口に差し込まれている最中に互いに係合する係合部を更に備え、
前記係合部は、前記前壁のうち該前壁に設けられた前記差し込み口又は前記差し込み片よりも上側に設けられ、前記前壁の上縁から上方に向かって突出している係止舌片と、前記舌部のうち該舌部に設けられた前記差し込み片又は前記差し込み口よりも基端側に設けられ、前記舌部の縁が内側に折り返されてなる折り返し片の組み合わせにより構成されており、
前記差し込み片が前記差し込み口に差し込まれている最中に、前記折り返し片の外面が、前記係止舌片の内面に押し付けられ、前記差し込み口に対する前記差し込み片の差し込み量の増加に伴い該係止舌片の内面を乗り越えることによって、前記折り返し片と前記係止舌片とが互いに係止される、
タングリッド型パッケージ。
【請求項２】
前記ケース本体において、前記開口面の後縁に沿った幅方向の寸法が、該幅方向に直交して且つ前記前壁に沿った高さ方向の寸法に比べて大きい、請求項１に記載のタングリッド型パッケージ。
【請求項３】
前記蓋部と前記開口面の後縁との境界部、及び、前記蓋部と前記舌部との境界部のうち少なくとも一方はラウンドコーナーである、請求項１又は２に記載のタングリッド型パッケージ。
【国際調査報告】
2014016964.tif 000011
2014016964.tif 000012
2014016964.tif 000013
2014016964.tif 000014